(57)【要約】【課題】  印刷装置における切断手段とサーマルヘッドの平行でない状態を、サーマルヘッドや切断手段の位置を調整することなく、画像の印画領域と切断位置に生じるずれをなくすことを可能にした印刷装置を提供することを目的とする。【解決手段】  上記目的を達成するために、本発明の印刷装置は、連続紙に画像を印刷するサーマルヘッドと、前記連続紙を切断する切断手段と、前記連続紙を長さ方向に搬送する搬送手段と、前記サーマルヘッドにより印刷する画像の補正量を設定する設定手段と、前記設定手段により設定された補正量に応じて、前記サーマルヘッドにより前記連続紙に印刷する画像の画素を連続紙の長さ方向にずらすことにより、前記画像の連続紙の幅方向の画素が前記連続紙に斜めに配置されるように補正する補正手段と、を有することを特徴とする。【選択図】  図１６
2014087979.tif 000002
【特許請求の範囲】
【請求項１】
連続紙に画像を印刷するサーマルヘッドと、
前記連続紙を切断する切断手段と、
前記連続紙を長さ方向に搬送する搬送手段と、
前記サーマルヘッドにより印刷する画像の補正量を設定する設定手段と、
前記設定手段により設定された補正量に応じて、前記サーマルヘッドにより前記連続紙に印刷する画像の画素を連続紙の長さ方向にずらすことにより、前記画像の連続紙の幅方向の画素が前記連続紙に斜めに配置されるように補正する補正手段と、を有することを特徴とする印刷装置。
【請求項２】
前記設定手段により補正量を設定するために、連続紙の幅方向に延びる複数のラインを前記サーマルヘッドにより前記連続紙に印刷させ、前記複数のラインが印刷されている位置が切断されるように前記切断手段により前記連続紙を切断させる制御手段を有することを特徴とする請求項１に記載の印刷装置
【請求項３】
前記補正手段は、前記サーマルヘッドにより前記連続紙に印刷される画像の端と前記切断手段による切断位置とが平行となるように補正することを特徴とする請求項１または２に記載の印刷装置。
【請求項４】
前記補正手段は、前記サーマルヘッドにより前記連続紙に印刷される画像の端と前記切断手段による切断位置とが一致するように補正することを特徴とする請求項１または２に記載の印刷装置。
【請求項５】
前記設定手段は、前記連続紙の長さ方向における前記サーマルヘッドと前記切断手段の相対位置のずれ量、および、前記サーマルヘッドと前記切断手段との傾きのずれ量とに基づいて、補正量を設定することを特徴とする請求項１ないし４のいずれか１項に記載の印刷装置。
【請求項６】
連続紙の幅方向に延びる複数のラインを前記サーマルヘッドにより前記連続紙に印刷させ、前記複数のラインが印刷されている位置が切断されるように前記切断手段により前記連続紙を切断した計測用紙を出力させる制御手段と、
前記計測用紙において切断された位置および傾き量を前記印刷されたラインを基準として入力するための入力手段を有し、
前記設定手段は、前記入力手段により入力された切断位置および傾き量に基づいて、補正量を設定することを特徴とする請求項１に記載の印刷装置。
【請求項７】
連続紙に画像を印刷するサーマルヘッドと、前記連続紙を切断する切断手段と、前記連続紙を長さ方向に搬送する搬送手段とを有する印刷装置の制御方法であって、
前記サーマルヘッドにより印刷する画像の補正量を設定する設定工程と、
前記設定工程で設定された補正量に応じて、前記サーマルヘッドにより前記連続紙に印刷する画像の画素を連続紙の長さ方向にずらすことにより、前記画像の連続紙の幅方向の画素が前記連続紙に斜めに配置されるように補正する補正工程と、を有することを特徴とする印刷装置の制御方法。
【発明の詳細な説明】
【技術分野】
【０００１】
本発明は、連続紙を用いて印刷を行う印刷装置に関し、特に画像を印刷した連続紙を切断する切断手段を有する印刷装置に関するものである。
【背景技術】
【０００２】
近年、撮影して得られた画像データから、簡単に印画物を得るための印刷装置が普及している。
【０００３】
これらの印刷装置では、高画質な画像記録が得られる方法として、サーマルヘッドを用いる熱転写記録方法が用いられている。サーマルヘッドは、ライン状に複数の発熱素子（抵抗素子）が配列されており、これらの発熱素子を、選択的に通電し、記録用紙に、インクリボンのインクを転写することにより、記録用紙に印画が行われる。
【０００４】
また、これらの印刷装置では、高速印画、大量印画及び印画サイズの多様化に対応するために、記録用紙として、連続紙が用いられている（特許文献１参照）。連続紙を用いる場合は、印刷装置に、カッターが必要となるが、以下に示すメリットを持つからである。給紙時の重送が原理的に無いので、給紙手段を簡素化できる。また、連続紙をロール状に巻き回したロール紙とすることにより、多量の記録用紙をかさばらずに保持できる。また、印刷装置にカッターがあるので、所望のサイズに印画を行い、所望のサイズで記録用紙を切断することにより、所望のサイズの印画物を得ることができる。
【先行技術文献】
【特許文献】
【０００５】
【特許文献１】特開２００９−１６６２５４号公報
【発明の概要】
【発明が解決しようとする課題】
【０００６】
しかしながら、上述の、サーマルヘッドを用いて、連続紙に、熱転写記録を行う印刷装置においては、連続紙を切断するカッターと画像を熱転写記録するサーマルヘッドが平行でないと、連続紙の印画領域と切断位置にずれが生じてしまう。このずれが生じると、例えば、記録用紙全面に画像を印画する場合、印画画像の一部を切断してしまうことで生じる画像欠けや未印画領域で切断してしまうことで生じる余白領域が生じるという問題があった。あるいは、印画画像の周辺に余白部を設けて記録用紙に画像を印画する場合、画像の書き始め、及び、書き終わりが、記録用紙端部と斜めになり、印画品位が劣化する場合があった。
【０００７】
図１８に、上記の問題を説明するための、概念図を示す。図１８（ａ）は、本問題が生じる状態の印刷装置におけるサーマルヘッドとカッターの取り付け状態を模式的に示す図である。図１８（ｂ）は、図１８（ａ）状態の印刷装置を用いて、記録用紙全面に画像を印画する場合において、記録用紙を切断する前の印画状態を示すものである。図中、破線で示されるラインは、カッターにより切断されるラインの位置を示す。図１８（ｃ）は、図１８（ａ）状態の印刷装置を用いて、記録用紙全面に画像を印画する場合において、記録用紙を切断後、得られる印画物を示す。図１８（ｄ）は、図１８（ａ）状態の印刷装置を用いて、印画画像の周辺に余白部を設けて記録用紙に画像を印画する場合において、記録用紙を切断する前の印画状態を示すものである。図中、破線で示されるラインは、カッターにより切断されるラインの位置を示す。図１８（ｅ）は、図１８（ａ）状態の印刷装置を用いて、記録用紙全面に画像を印画する場合において、記録用紙を切断後、得られる印画物を示す。
【０００８】
これらの問題を解決するためには、連続紙の印画領域と切断位置に生じるずれをなくすことが必要である。
【０００９】
従来、連続紙の印画領域と切断位置に生じるずれをなくすためには、その原因の、印刷装置におけるカッターとサーマルヘッドの平行でない状態を修正することが行われている。
【００１０】
しかしながら、カッターとサーマルヘッドの平行でない状態を修正するためには、印刷装置を分解して、カッターとサーマルヘッドの取り付け位置を精度よく、調整する必要があった。あるいは、あらかじめ、印刷装置内に、カッターとサーマルヘッドの平行でない状態を修正するための機構手段を設け、この修正機構を用いて、カッターとサーマルヘッドの取り付け位置を精度よく、調整する必要があった。
【００１１】
そこで、本発明の目的は、印刷装置における切断手段とサーマルヘッドの平行でない状態を、サーマルヘッドや切断手段の位置を調整することなく、画像の印画領域と切断位置に生じるずれをなくすことを可能にした印刷装置を提供することである。
【課題を解決するための手段】
【００１２】
上記目的を達成するために、本発明の印刷装置は、
連続紙に画像を印刷するサーマルヘッドと、前記連続紙を切断する切断手段と、
前記連続紙を長さ方向に搬送する搬送手段と、
前記サーマルヘッドにより印刷する画像の補正量を設定する設定手段と、
前記設定手段により設定された補正量に応じて、前記サーマルヘッドにより前記連続紙に印刷する画像の画素を連続紙の長さ方向にずらすことにより、前記画像の連続紙の幅方向の画素が前記連続紙に斜めに配置されるように補正する補正手段と、を有することを特徴とする。
【発明の効果】
【００１３】
本発明によれば、印刷装置における切断手段とサーマルヘッドの平行でない状態を、サーマルヘッドや切断手段の位置を調整することなく、画像の印画領域と切断位置に生じるずれをなくすことを可能にした印刷装置を提供することができる。
【図面の簡単な説明】
【００１４】
【図１】印刷装置１００および該印刷装置１００に用いられるカートリッジ１１０の外観構成を示す図である。
【図２】印刷装置１００の機能構成を示すブロック図である。
【図３】カートリッジ１１０の外観を示す図である。
【図４】カートリッジ１１０が印刷装置１００に装着された状態を、印刷装置１００の側面から見た場合の断面図である。
【図５】印刷装置１００における印刷処理の全体フローを示すフローチャートである。
【図６】用紙頭だし完了時の印刷装置１００の動作を説明するための図である。
【図７】インクリボンのマーカーを説明するための図である。
【図８】印刷処理時の印刷装置１００の動作を説明するための図である。
【図９】印画終了後排紙時の印刷装置１００の動作を説明するための図である。
【図１０】排紙動作直後の印刷装置１００の動作を説明するための図である。
【図１１】メニュー画面の表示例を示す図である。
【図１２】切断位置ずれ補正メニュー画面の表示例を示す図である。
【図１３】印画される計測チャートの印画模式図を示す図である。
【図１４】印画位置ずらしを求めるための概念図を示す図である。
【図１５】本実施例の動作の概念を説明する図である。
【図１６】本実施例において実行される画像変形の概念図を示す図である。
【図１７】本実施例において実行される画像編集の概念図を示す図である。
【図１８】本発明が解決しようとする従来の課題を説明するための図である。
【発明を実施するための形態】
【００１５】
以下に、本発明の好ましい実施の形態を、添付の図面に基づいて詳細に説明する。
【００１６】
以下の説明において、「印画」とは、印刷動作のうち、ロール紙に対してインクリボンに塗布されたインクを転写することにより画像をロール紙に記録する動作を指すものとする。また、「印刷」とは、ユーザからの印刷指示に基づいて印画を行い、ロール紙を所定サイズに切断し排紙するまでの一連の動作を指すものとする。
【実施例１】
【００１７】
１．印刷装置及びカートリッジの外観構成
図１は、本実施形態にかかる印刷装置１００および該印刷装置１００に用いられるカートリッジ１１０の外観構成を示す図である。
【００１８】
図１に示すように、印刷装置１００は、その側面が開閉しカートリッジ１１０を矢印１２０方向に着脱可能なハウジング１０１を備え、該ハウジング１０１の上部には、表示部１０２と操作部１０３とが配されている。
【００１９】
表示部１０２はＬＣＤ等の表示画面から構成され、印刷される画像データを表示したり、印刷に必要な設定データを入力するためのメニューを表示したりする。
【００２０】
操作部１０３は、印刷装置の電源のＯＮ／ＯＦＦを指示する電源スイッチ１０４と、表示部１０２に表示された各種メニューを選択するための選択スイッチ１０５とを備える。更に、選択スイッチ１０５の周囲には、表示部１０２に表示されたカーソルを所望の位置に移動させるための左右キー１０６と、上下キー１０７とが配されている。
【００２１】
本実施例においては、表示部１０２に、図１１に示すように、メニュー画面の一部として、切断位置ずれ補正項目を表示する。そして、走査部１０３のキーを用いて、カーソルを移動させ、前記切断位置ずれ補正項目を選択実行すると、図１２に示す、切断位置ずれ補正メニューが、表示部１０２に表示される。このメニュー画面を用いて、印画位置ずらし量を求めるための計測チャートの印画出力、及び、印画位置ずらし量の入力を行う。印画される計測チャートの印画模式図を図１３に示す。図１３において、印画されている複数のラインにおいて、途切れている部分は、後述する、ロール紙頭だしセンサ２０６の位置、すなわち、搬送方向と直交する連続紙の幅方向における、連続紙の先端検出位置に対応する部分である。この先端検出位置により、サーマルヘッドとカッター刃との相対位置を検出することが可能である。先端検出位置を入力することにより、印刷装置は、サーマルヘッドとカッター刃との相対位置のずれを把握することが可能となる。
【００２２】
図１３において、図中で破線により示されるラインは、切断ラインを示す。図１４に、図１３に示す計測チャート、つまり、補正量を求めるための計測用紙を用いて、印画位置ずらしを求めるための概念図を示す。印画位置ずらし量は先端位置検出センサ位置とカット位置の交点を基準として、先端位置検出センサをはさんで左右の所定の位置での印画ラインとの交点までの距離を計測することにより得られる。この印画位置ずらし量（右）と印画位置ずらし量（左）により、サーマルヘッドとカッター刃の傾きのずれを検出することができる。
【００２３】
本実施例では、印画位置ずらし量（左）として、＋４．５本、印画位置ずらし量（右）として、−１．０本が得られた。上記の印画位置ずらし量の算出は、ユーザがチャートを印画し、印画チャートを、顕微鏡などの計測機を用いて、測定評価して、行うこともできる。また、画像取り込み装置などを改造し、印画位置ずらし量算出工具を準備し、この工具に印画チャートをセットして、半自動的に、行うことも可能である。
【００２４】
カートリッジ１１０には、インクが塗布されているインクリボンと、印画紙としてのロール紙とが収納されている。また、カートリッジ１１０を印刷装置１００に装着する前の状態では、ロール紙はハウジング１１１により覆われた構成となっており、ユーザがロール紙に直接触れることがない構成となっている。印刷時にはロール紙がカートリッジ１１０から引き出され、インクリボンに塗布されたインクを印刷装置のサーマルヘッドによりロール紙に転写して、印画が行われる。
【００２５】
１１２はロール紙が巻き回されたローラの回転軸であり、カートリッジ１１０を印刷装置１００に装着した際には、印刷装置１００が有する給紙モータの回転機構と結合され、印刷装置１００によって回転が制御される。
【００２６】
１１３、１１４は、それぞれインクリボンの供給ローラと巻き取りローラの回転軸である。巻き取りローラの回転軸１１４は、カートリッジ１１０を印刷装置１００に装着した際には、印刷装置１００が有するインクリボン巻上げモータの回転機構と結合され、印刷装置１００によって回転が制御される。
【００２７】
２．印刷装置の機能構成
図２は印刷装置１００の機能構成を示すブロック図である。２０１は印刷装置１００全体を制御するメインコントローラである。
【００２８】
２０２はメインコントローラ２０１に接続され、制御プログラムなどが格納されるＲＯＭであり、メインコントローラ２０１は、ＲＯＭ２０２に格納された制御プログラムに従って動作する。
【００２９】
本実施例においては、ＲＯＭ２０２は、一部書き換えの機能を持ち、操作部１０３を介して入力された各種設定データも必要に応じて格納され、制御プログラムにしたがってよみだされ、印画時に利用される。
【００３０】
ＲＡＭ２０３は、メインコントローラの演算処理用のワークメモリとして用いられ、また、操作部１０３を介して入力された各種設定データ等が、一時的に格納される。
【００３１】
２２４Ｙ、２２４Ｍ、２２４Ｃは画像データ入力部２２９を介して受信された画像データを格納するイメージバッファである。２２４Ｙはイエローの画像データを一時的に格納するイエローイメージバッファであり、２２４Ｍ、２２４Ｃはそれぞれマゼンタ、シアンの画像データを一時的に格納するイメージバッファである。
【００３２】
２２７はサーマルヘッドであり、内蔵する発熱体が発熱することにより、インクリボンに塗布されたインクを昇華させ、ロール紙に印画する。
【００３３】
２２６はサーマルヘッド２２７に内蔵される発熱体（不図示）を駆動させるヘッド駆動回路である。メインコントローラ２０１に接続されたドライバコントローラ２２５が、イメージバッファ２２４Ｙ〜２２４Ｃにビットマップ形式で記録された画像データ及びオーバーコート用の画像データを用いてヘッド駆動回路２２６を制御することで印画が行われる。
【００３４】
本実施例では、このドライバコントローラ２２５に、搬送方向における印画位置を、搬送方向と直交する連続紙の幅方向の各画素において、設定可能な機能を持たせている。この機能では、あらかじめ求めた、印画位置ずらし量に応じて、搬送方向における印画位置を、搬送方向と直交する連続紙の幅方向の画素ごとに、所定の位置にずらして、印画することができる。
【００３５】
図１５を用いて、本実施例の動作の概念を説明する。
【００３６】
イメージバッファ上では、搬送方向における印画位置を、搬送方向と直交する連続紙の幅方向の各画素において、図１５（Ａ）に示すように、配列されている画像データを、ヘッド駆動回路２２６を制御時に、ずらして印画する。図１５（Ｂ）に示すように、印画位置ずらし量に応じて、搬送方向における印画位置を、搬送方向と直交する連続紙の幅方向の画素ごとに、印画位置にずらして、印画を行う。
【００３７】
２１１は駆動モータ２１２、２１３を駆動するためのロール紙搬送モータドライバである。駆動モータ２１２、２１３は回転機構を介して、後述するカール取りローラやグリップローラ、排紙ローラ、排紙蹴りだしローラ等に結合されており、これらのローラを駆動させることによりロール紙を搬送する。
【００３８】
２１４は給紙モータドライバであり、給紙モータ２１５の回転を制御する。カートリッジ１１０が装着された状態においては、給紙モータ２１５がロール紙が巻き回され、ロール紙ユニットの回転軸となっているローラ１１２（４０４）と回転機構を介して結合、給紙モータドライバ２１４によりローラ１１２の回転駆動が制御される。
【００３９】
２１６はインクリボン巻上げモータドライバであり、インクリボン巻上げモータ２１７の回転を制御する。カートリッジ１１０が装着された状態では、インクリボンの巻き取りローラとインクリボン巻上げモータ２１７とが回転機構を介して結合されるので、インクリボン巻上げモータドライバ２１６によりインクリボンの巻き取り、巻き上げが制御される。
【００４０】
２１８はヘッドアップダウンモータドライバである。このドライバ２１８がサーマルヘッド２２７の昇降を行うヘッドアップダウンモータ２１９の回転を制御することで、サーマルヘッド２２７を印画位置と退避位置との間で動作させる。
【００４１】
２２０はカッターモータドライバである。カッターモータドライバ２２０が、カッターユニットを構成するカッター刃及びカッター受け刃を駆動するカッターモータ２２１を制御することで、ロール紙の切断を行う。
【００４２】
２０４は終端検知センサであり、カートリッジのローラ内に配され、ローラに巻き回されたロール紙が消費されて、ローラに巻き回されたロール紙の残量が、１巻き未満になった場合に、これを検知する。終端が検知されると、表示部１０２には、ロール紙の残量が少ない旨のメッセージが表示される。
【００４３】
２０６はロール紙頭出しセンサであり、サーマルヘッド２２７に対向して設けられるプラテンローラとグリップローラの間に配され、印刷開始時に、カートリッジ１１０から引き出されたロール紙の先端部がグリップローラの後方を通過したことを検出する。
【００４４】
２０７はリボン頭出しセンサであり、インクリボンの各色の先端部に塗布された識別帯を検出する。インクリボン巻上げモータ２１７によるインクリボンの巻き上げ動作は、リボン頭出しセンサ２０７の検出結果に基づいて制御される。
【００４５】
３．カートリッジの構成
次にカートリッジ１１０の構成について説明する。図３は、カートリッジ１１０の外観を示す図である。
【００４６】
上述したように、カートリッジ１１０は印刷装置１００から取り外された状態では、ロール紙はハウジング１１１に収納されており、ユーザが外部からロール紙を直接触れることができないようになっている。かかる構成により、カートリッジ１１０内への異物等の混入が回避される。
【００４７】
４．カートリッジがセットされた状態での印刷装置内部の構成
図４は、カートリッジ１１０が印刷装置１００に装着された状態を、印刷装置１００の側面から見た場合の断面図である。図４を用いて、印刷装置１００が印刷処理を行う際に動作する各部の構成について簡単に説明する。なお、上述の説明において既出の構成については、同じ参照番号を付すこととし、ここでは説明は省略する。
【００４８】
図４において、６０１はカートリッジ１１０に内包されたロール紙４０４−２が印画時に印画位置６１１まで引き出される場合に通過するカートリッジ１１０に設けられた搬送路である。６０２はカートリッジロール紙出口である。ローラ４０４−１に巻き回されていたロール紙４０４−２は分離部材４０６により引き剥がされることで、カートリッジロール紙出口６０２よりカートリッジ１１０外部に引き出され、搬送路６０１を通過する。
【００４９】
６０４−１はピンチローラ、６０４−２はグリップローラであり、ロール紙４０４−２を挟持する。６０３はデカール用ガイドであり、印刷時にロール紙のカール方向とは逆の曲率を持たせるために設けられており、ロール紙４０４−２の巻き癖を矯正する。グリップローラ６０４−２が図中時計回りに回転することで、カートリッジ１１０から送りだされたロール紙４０４−２が、印画位置６１１に向かって搬送される。
【００５０】
６０５はプラテンローラであり、印画位置６１１において、サーマルヘッド２２７との間で、インクリボン４０２−１とロール紙４０４−２とを重畳させた状態を維持する。
【００５１】
６０６は排紙ローラであり、ロール紙４０４−２を排紙方向に搬送する。排紙ローラ６０６と従動ローラ６０７とは、ロール紙４０４−２を介して対向する位置に配され、図示しない駆動機構により圧接・離間するようになっており排紙時に圧接してロール紙４０４−２を挟持する。
【００５２】
６０８はカッターモータ２２１の動作をカッターユニットに伝達するギアである。６０９、６１０はカッターユニットを構成するカッター刃とカッター受け刃であり、ロール紙４０４−２の搬送路を挟んで、対向した位置に配置されている。カッター刃６０９とカッター受け刃６１０は、ギア列６０８により駆動され、はさみ状に上下の刃がすりあわされることにより、ロール紙４０４−２を切断する。
【００５３】
５．全体フロー
次に図５を用いて印刷装置１００における印刷処理の全体フローを説明する。図５は、印刷装置１００における印刷処理の全体フローを示すフローチャートである。印刷装置１００にカートリッジ１１０が装着され、電源が投入された後、図４の状態が実現され、印刷対象となる画像データの取り込みが完了すると、図５に示す処理が開始される。
【００５４】
ステップＳ８０１では、表示部１０２に表示された画像データの中から、操作部１０３を介してユーザにより印刷対象として選択された画像データに関する情報を受け付ける。
【００５５】
ステップＳ８０２では、操作部１０３を介してユーザより印刷指示があったか否かを判定する。ステップＳ８０２において印刷指示があったと判定された場合には、ステップＳ８０３に進む。
【００５６】
ステップＳ８０３では、印刷可能か否かを判定する。ここでは、ステップＳ８０１において選択された画像データ全てが印刷可能であるか否かを、ロール紙４０４−２の残量に基づいて判定する。
【００５７】
ステップＳ８０３において印刷可能でないと判定された場合には、印刷不可である旨のメッセージを表示部１０２に表示するとともに、ステップＳ８０６に進む。
【００５８】
一方、ステップＳ８０３において印刷可能であると判定された場合には、ステップＳ８０４に進み、選択された画像データに基づいて各色ごとの印画データを生成する。
【００５９】
ステップＳ８０５では、生成された印画データを用いて印刷処理を行う。なお、印刷処理の詳細は、後述する。
【００６０】
ステップＳ８０６では、印刷対象として選択された次の画像データがあるか否かを判定する。ステップＳ８０６において、印刷対象として選択された次の画像データがあると判定された場合には、ステップＳ８０３に戻り、上記処理を繰り返す。
【００６１】
一方、ステップＳ８０６において、印刷対象として選択された次の画像データがないと判定された場合、あるいはステップＳ８０３において印刷可能でないと判定された場合には、ステップＳ８０７に進む。
【００６２】
ステップＳ８０７では終了処理を行い、図４の状態に戻す。具体的には、サーマルヘッド２２７を退避位置に戻すと共に、ロール紙４０４−２を巻き上げ、ロール紙４０４−２の先端部が搬送路６０１にくるようにする。
【００６３】
６．印刷処理
次にステップＳ８０５における印刷処理時の印刷装置１００の動作について以下説明する。
【００６４】
まず、ロール紙をカセットから送り出し、印画開始位置まで搬送する給紙動作について説明する。図４に示す状態において、ロール紙４０４−２と一体的に回動するローラ４０４−１が図中反時計回りに駆動すると、ロール紙４０４−２が回動する。ロール紙４０４−２が回動することでロール紙保持フランジ４０４−３も回転し、ローラ４０４−１に巻き回されているロール紙４０４−２の先端はカセット１１１内周面に沿って進み分離部材４０６ですくいあげられ、引き出し路６０１へと押し出される。この結果、ロール紙４０４−２の先端部は、カートリッジ出口６０２より送り出される。
【００６５】
カートリッジ出口６０２より送り出されたロール紙４０４−２は、図６に示すようにグリップローラ部に到達する。グリップローラ部は、ピンチローラ６０４−１とグリップローラ６０４−２とを備える。ピンチローラ６０４−１はグリップローラ６０４−２に対して常に圧接状態であり、そのグリップ位置にロール紙４０４−２が誘い込まれることでグリップローラ部でロール紙４０４−２を挟持する。
【００６６】
グリップローラ６０４−２の表面には、細かい突起状の爪が形成されており、ロール紙４０４−２の裏面へかみこむことでロール紙４０４−２をグリップする。
【００６７】
グリップローラ部でグリップされたロール紙４０４−２は更に搬送され、サーマルヘッド２２７と該サーマルヘッド２２７に対向して配されたプラテンローラ６０５との間を通過する。
【００６８】
グリップローラ部の下流側にはロール紙頭出しセンサ２０６が配されており、ロール紙４０４−２の先端部が通過すると、ロール紙頭出しセンサ２０６がＯＮになる。
【００６９】
メインコントローラ２０１ではロール紙頭出しセンサ２０６のＯＮ信号を受信すると、印画サイズに応じた残りの用紙搬送量を算出する。算出結果に基づいてロール紙搬送用モータを制御することにより、ギア列にて連結されたグリップローラ６０４−２を駆動し、ロール紙４０４−２はグリップローラ６０４−２により搬送される。そして、印画開始位置に到達すると停止し、ロール紙４０４−２の頭出し完了となる。このようにして、一枚の画像を印刷するのに必要なロール紙をカートリッジから引き出し、印画開始位置に搬送し、待機する。
【００７０】
本実施例では、印画位置ずらし量に応じて、用紙搬送量が補正され、算出される。本実施例では、印画位置開始位置が、印画計測チャートに印画されるラインで、５．５本分、本来の書き出し位置の前から印画される必要がある。この分が補正され、用紙が搬送される。
【００７１】
図６に示した位置まで用紙が搬送され、ロール紙４０４−２の印画開始位置への搬送が完了すると、カートリッジ１１０に収納されているインクリボン４０２−１が巻き上げられる。インクリボン４０２−１は印刷装置１００に具備されているリボン巻上げモータ２１７ならびに該モータに接続されたギア列を介して、巻き上げられる。
【００７２】
インク頭だしセンサは２０７で示す。インク頭だしセンサ２０７の対向側にはインクリボンを挟んで反射シート１１２が貼ってありインク頭だしセンサ２０７の投光した光を反射するようになっている。
【００７３】
ここで図６と図７を用いてインクリボンのマーカーの説明をする。図７に於いてインクリボン４０２−１にはイエロー２４０２、マゼンタ２４０３、シアン２４０４、オーバーコート層２４０５の各面の頭出し位置に帯状にマーカーが塗布されている。マーカーは黒色の線であり、リボン頭だしセンサ２０７によって、反射シート１１２に反射した光がマーカーによって遮蔽されてたことを検知するようになっている。イエローのインク面２４０２の先頭部分にはマーカーが２本塗布されており、他の色の先頭部分のマーカーが１本であることと区別している。これらの区別は、図６に示されるリボン頭出しセンサ２０７において識別され、識別結果がメインコントローラ２０１に送信されることで、メインコントローラ２０１では最初に印画するイエロー面の頭だし位置であることを認識することができる。
【００７４】
リボン頭出しセンサ２０７においてイエロー面２４０２のマーカーを検知すると、メインコントローラ２０１では、インクリボン巻上げモータ２１７を停止する。あわせて、サーマルヘッド２２７の昇降を行うヘッドアップダウンモータ２１９を駆動し、サーマルヘッド２２７を印画位置６１１へ回動させる。
【００７５】
サーマルヘッド２２７は印刷装置１００のベースフレームにヘッドレバー６１２を介して回動可能に配されており、ヘッドアップダウンモータ２１９はヘッドレバー６１２を駆動してサーマルヘッド２２７を図８に示すように印画位置６１１へ回動させる。
【００７６】
サーマルヘッド２２７が印画位置６１１に到達すると、グリップローラ６０４−２によりロール紙の往復搬送が開始され、イエロー、マゼンタ、シアン、オーバーコート層の順にインクを重ねて転写していく印画動作が行なわれる。
【００７７】
本実施例では、印画位置ずらし量に応じて、実質の印画長が変更される。したがって、印画動作時に、この分だけ、用紙搬送量が補正される。本実施例では、印画計測チャートに印画されるラインで、５．５本分、本来の印画長から長く印画される必要がある。この分が補正され、用紙が搬送される。
【００７８】
ロール紙４０４−２への印画が完了すると、ヘッドアップダウンモータ２１９が駆動し、ヘッドレバー６１２を回動させ、ヘッドレバー６１２と一体的に固定されているサーマルヘッド２２７を所定の退避位置に退避させる。また、このときインクリボン４０２−１を微小量巻き上げ、インクリボン４０２−１のたるみをとる。
【００７９】
そして、図９に示すようにロール紙４０４−２が排紙方向へ搬送される。この時、ロール紙４０４−２は印画領域と未印画領域の境界がカッターユニットの切断位置にくるように搬送される。グリップローラ６０４−２とピンチローラ６０４−１はロール紙４０４−２を狭持したままの状態であり、グリップローラ６０４−２を所定量回転させることでロール紙４０４−２を所定量搬送する。
【００８０】
本実施例では、印画位置ずらし量に応じて、用紙搬送量が補正され、算出され、この補正された所定量で搬送される。本本実施例では、印画計測チャートに印画されるラインで、５．５本分、本来の印画長から長く印画される必要がある。この分が補正され、用紙が搬送される。
【００８１】
カッターユニットには、カッター刃６０９と対向して配置されたカッター受け刃６１０とカッター刃６０９を駆動するカッターモータ２２１及びギア列６０８が一体的に構成されている。カッターユニットのカッターモータ２２１が駆動されると、上下の歯がすり合わされ、ロール紙４０４−２が切断される。
【００８２】
カット処理により先端部が切断されたロール紙４０４−２の残りは、排紙ローラ６０６によりグリップされた状態にある。この状態から、排紙ローラ６０６が駆動し、ロール紙４０４−２は排紙方向に搬送される。ここで、ロール収納部側のロール紙先端は排紙時の紙送りと同時に排紙方向に前進する。この結果、印画済みのロール紙４０４−２は排紙ローラ６０６により排紙方向に送られた後、上流側から来た未印画のロール紙先端に押出されプリンタ外に出る。
【００８３】
７．ロール紙巻き戻し
排紙動作完了後、ロール紙４０４−２は図１０に示すように引き出された状態になっている。次の印画を行わない場合は、ロール紙がカートリッジ内に収納されてカートリッジが着脱可能な状態になっていなければならない。そのため、ロール紙の巻き取り動作を行う。
【００８４】
ロール紙の巻き取り動作はグリップローラ６０４−２とロール紙ローラ軸４０４−１を時計回り方向に回転させることで行なう。ロール紙巻き取り中にはロール紙頭だしで使用したロール紙頭だしセンサ２０６を使用する。ロール紙有りの状態から無しの状態に変わるところを起点に所定量グリップローラ６０４−２とロール紙ローラ軸４０４−１追加駆動することで精度よくロール紙をカセットに収納できるようにしている。
【００８５】
以上のようにして、本実施例では、印刷装置における記録用紙切断手段とサーマルヘッドの平行でない状態を修正することなく、連続紙の印画領域と切断位置に生じるずれをなくして印画でき、印画領域の端部と切断位置が一致するようになる。
以下に、本発明の印刷装置を用いて、本発明を実施する手順をまとめる。
［１］印画位置ずらし量を求めるための計測チャートを印画する。
・メニュー画面から、切断位置ずれ補正を選択する。
・切断位置ずれ補正メニューから、計測チャート印画を選択する。
・印刷装置から、計測チャートが印画される。
［２］印画された計測チャートを、計測し、印画位置ずらし量を求める。
［３］求めた、印画位置ずらし量を、印刷装置にセットする。
・メニュー画面から、切断位置ずれ補正を選択する。
・切断位置ずれ補正メニューから、印画位置ずらし量入力を選択し、印画位置ずらし量を入力する。
［４］印刷装置は、入力された印画位置ずらし量をもとに、搬送方向における印画位置を、搬送方向と直交する連続紙の幅方向の画素ごとに、所定の位置にずらして、印画する。
【００８６】
・印画位置のずらしは、印刷装置の、ドライバコントローラ２２５において行われる。すなわち、イメージバッファに記録された画像データを用いて、ヘッド駆動回路２２６を制御して、印画が行われる際に実行される。
【実施例２】
【００８７】
つづいて、本発明の第２の実施例について説明する。
【００８８】
本実施例では、印刷装置における記録用紙切断手段とサーマルヘッドの平行でない状態を修正することなく、連続紙の印画領域と切断位置に生じるずれをなくすことができる。
【００８９】
用いる装置構成は、前述した、実施例１とほぼ、同じである。ここでは、実施例１との違いを述べて、説明する。
【００９０】
実施例１では、印画位置のずらしが、印刷装置の、ドライバコントローラ２２５において行われる。すなわち、イメージバッファに記録された画像データを用いて、ヘッド駆動回路２２６を制御して、印画が行われる際に実行されるものであった。
【００９１】
本実施例では、メインコントローラ２０１で、画像データ入力部２２９を介して受信された画像データを、イメージバッファに格納する際に、印画位置ずらし量に応じて、画像を編集、変形することが行われる。この際、編集、変形後の画像に応じて、画像の印画開始位置と印画長も再設定され、この再設定された印画開始位置と印画長をもちいて、印画が実行される。
【００９２】
図１６に、本実施例において実行される、画像変形の概念図を示す。図１６（Ａ）は、画像データ入力部２２９を介して受信された画像データであり、図１６（Ｂ）は、変形されて、イメージバッファにためられた画像データである。図１６（Ｂ）において、画像データとしては、長方形であるが、図中、未印画データ領域は印画時は未印画となる領域であり、印画領域は、平行四辺形となる。したがって、印画領域と切断位置に生じるずれをなくすことができる。
【００９３】
図１７に、本実施例において実行される、画像編集の概念図を示す。図１７（Ａ）は、画像データ入力部２２９を介して受信された画像データであり、図１７（Ｂ）は、編集されて、イメージバッファにためられた画像データである。図１７（Ｂ）において、画像データとしては、長方形であるが、図中、未印画データ領域は印画時は未印画となる領域であり、印画領域は、平行四辺形となる。したがって、印画領域と切断位置に生じるずれをなくすことができる。また、追加印画データ領域は、この領域の近傍の元の画像データを用いて生成する。したがって、元の画像データが変形されることがなく、また、印画領域と切断位置に生じるずれをなくすことができる。
【００９４】
以上のようにして、本実施例では、印刷装置における記録用紙切断手段とサーマルヘッドの平行でない状態を修正することなく、連続紙の印画領域と切断位置に生じるずれをなくして印画できる。
【００９５】
以下に、本発明の印刷装置を用いて、本発明を実施する手順をまとめる。
［１］印画位置ずらし量を求めるための計測チャートを印画する。
・メニュー画面から、切断位置ずれ補正を選択する。
・切断位置ずれ補正メニューから、計測チャート印画を選択する。
・印刷装置から、計測チャートが印画される。
［２］印画された計測チャートを、計測し、印画位置ずらし量を求める。
［３］求めた、印画位置ずらし量を、印刷装置にセットする。
・メニュー画面から、切断位置ずれ補正を選択する。
・切断位置ずれ補正メニューから、印画位置ずらし量入力を選択し、印画位置ずらし量を入力する。
［４］印刷装置は、入力された印画位置ずらし量をもとに、印画位置ずらし量に応じて、画像を編集、変形し、前記編集、変形後の画像に応じて、画像の印画開始位置と印画長を設定して、印画する。
【００９６】
・画像の編集、変形は、メインコントローラ２０１で、画像データ入力部２２９を介して受信された画像データを、イメージバッファに格納する際に行われる。
【００９７】
［その他の実施形態］
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００９８】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００９９】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【０１００】
その場合、プログラムの機能を有していれば、オブジェクトコード、インタプリタにより実行されるプログラム、ＯＳに供給するスクリプトデータ等、プログラムの形態を問わない。
【０１０１】
プログラムを供給するための記録媒体としては、例えば、ハードディスク、磁気テープ等の磁気記録媒体、光／光磁気記憶媒体、不揮発性の半導体メモリでもよい。
【０１０２】
また、プログラムの供給方法としては、コンピュータネットワーク上のサーバに本発明を形成するコンピュータプログラムを記憶し、接続のあったクライアントコンピュータがコンピュータプログラムをダウンロードしてプログラムするような方法も考えられる。
【図１】
2014087979.tif 000003
【図２】
2014087979.tif 000004
【図３】
2014087979.tif 000005
【図４】
2014087979.tif 000006
【図５】
2014087979.tif 000007
【図６】
2014087979.tif 000008
【図７】
2014087979.tif 000009
【図８】
2014087979.tif 000010
【図９】
2014087979.tif 000011
【図１０】
2014087979.tif 000012
【図１１】
2014087979.tif 000013
【図１２】
2014087979.tif 000014
【図１３】
2014087979.tif 000015
【図１４】
2014087979.tif 000016
【図１５】
2014087979.tif 000017
【図１６】
2014087979.tif 000018
【図１７】
2014087979.tif 000019
【図１８】
2014087979.tif 000020